(57)【要約】      （修正有）【課題】屋外で使用される冷凍庫、冷蔵庫、保冷庫等において、熱伝導を低下させる手段によらずにエネルギー効率を高める方法を提供する。【解決手段】樹脂フィルム２、アルミニウム箔３、補強材４及び粘着剤層５がこの順序で積層された遮熱材１、およびそれを利用した遮熱方法。特に屋外で使用される冷凍庫、冷蔵庫、保冷庫等に対する熱の流入を効果的に防止することができ、省エネルギーに資する。また、従来の断熱材に比べて厚さが薄く、保冷庫等の小型化を図ることができる。さらに、既存の冷凍庫等に簡単に適用できるので、さらに一層の省エネルギーを測ることが可能である。例えば、自動販売機や輸送用車両の収納庫の省エネルギーを図ることができる。【選択図】図１
2009149000.tif 000002
【特許請求の範囲】
【請求項１】
樹脂フィルム、アルミニウム箔及び粘着剤層がこの順序で積層された遮熱材。
【請求項２】
樹脂フィルム、アルミニウム箔、補強材及び粘着剤層がこの順序で積層された遮熱材。
【請求項３】
樹脂フィルムがフッ素樹脂フィルムである請求項１又は２の遮熱材。
【請求項４】
冷凍、冷蔵又は保冷収納庫の遮熱用である請求項１、２又は３の遮熱材。
【請求項５】
冷凍、冷蔵又は保冷収納庫が自動飲料販売機である請求項４の遮熱材。
【請求項６】
冷凍、冷蔵又は保冷収納庫が車両用である請求項４の遮熱材。
【請求項７】
外部を請求項１〜６のいずれか１項の遮熱材で被覆することを特徴とする冷凍、冷蔵又は保冷収納庫の遮熱方法。
【請求項８】
冷凍、冷蔵又は保冷収納庫の天板及び又は側面外側に断熱層を設け、該断熱層の外側の全部又は一部を請求項１〜６のいずれか１項の遮熱材で被覆することを特徴とする冷凍、冷蔵又は保冷収納庫の遮熱方法。
【発明の詳細な説明】
【技術分野】
【０００１】
本発明は遮熱材およびそれを用いた遮熱方法に関する。さらに詳しくは、屋外に設置する自動飲料販売機や保冷車用等の運送用車両に適した遮熱材および遮熱方法に関する。
【背景技術】
【０００２】
冷凍庫、冷蔵庫、保冷庫等は省エネルギーの要請が大きい。中でも屋外で使用される自動販売機や冷凍車は直射日光に晒されるので、冷却のための消費エネルギーは大きく、できる限り日光や外気からの熱を遮断し、エネルギー効率を上げる工夫が必要である。
熱を遮断するために、従来から種々の断熱材が開発されている（例えば特許文献１〜３）。これらの断熱材はかなりの効果があるものの、更なる断熱効果が求められる。しかしながら、断熱材の多くは発泡体で厚みがあり、保冷庫等の体積が大きくなるため、その使用量には限界がある。
【特許文献１】特開２００７−２７８３７３公報
【特許文献２】特開２００６−９０４９７公報
【特許文献３】特開２００４−３２２９５３公報
【発明の開示】
【発明が解決しようとする課題】
【０００３】
本発明の目的は、特に屋外で使用される冷凍庫、冷蔵庫、保冷庫等において、熱伝導を低下させる手段によらずにエネルギー効率を高める方法を提供することである。本発明の他の目的は、かかる方法に供する遮熱材を提供することである。
【課題を解決するための手段】
【０００４】
本発明者等は、先にフッ素樹脂とアルミニウム箔含む特定構成の屋上防水改修用シートを開発したが（特開平１１−３１０９９９）、さらに研究の結果、このシートが遮熱用として極めて適したものであることを発見し、本発明に到達した。
即ち、本発明は以下のとおりである。
１．樹脂フィルム、アルミニウム箔及び粘着剤層がこの順序で積層された遮熱材。
２．樹脂フィルム、アルミニウム箔、補強材及び粘着剤層がこの順序で積層された遮熱材。
３．樹脂フィルムがフッ素樹脂フィルムである前記１又は２の遮熱材。
４．冷凍、冷蔵又は保冷収納庫の遮熱用である前記１、２又は３の遮熱材。
５．冷凍、冷蔵又は保冷収納庫が自動飲料販売機である前記４の遮熱材。
６．冷凍、冷蔵又は保冷収納庫が車両用である前記４の遮熱材。
７．外部を前記１〜６のいずれか１項の遮熱材で被覆することを特徴とする冷凍、冷蔵又は保冷収納庫の遮熱方法。
８．冷凍、冷蔵又は保冷収納庫の天板及び又は側面外側に断熱層を設け、該断熱層の外側の全部又は一部を前記１〜６のいずれか１項の遮熱材で被覆することを特徴とする冷凍、冷蔵又は保冷収納庫の遮熱方法。
【発明の効果】
【０００５】
本発明の遮熱材および遮熱方法によれば、特に屋外で使用される冷凍庫、冷蔵庫、保冷庫等に対する熱の流入を効果的に防止することができ、省エネルギーに資する。また、本発明の遮熱材は従来の断熱材に比べて厚さが薄く、保冷庫等の小型化を図ることができる。さらに、発明の遮熱材は既存の冷凍庫等に簡単に適用できるので、さらに一層の省エネルギーを測ることが可能である。
【発明を実施するための最良の形態】
【０００６】
以下に、本発明を詳細に説明する。
図１は本発明の遮熱材の構成を示した図である。図１において、１は本発明の遮熱材であり、通常シート状である。２は樹脂フィルム、３はアルミニウム箔、４は必要に応じて使用する補強材、５は粘着剤層、６は離型材である。
【０００７】
２の樹脂フィルムとしてはポリエチレンテレフタレートフィルム、ポリエチレンナフタレートフィルム、フッ素樹脂フィルム、フッ素樹脂とアクリル樹脂の共押出フィルム等が挙げられ、フッ素樹脂フィルムが好ましい。フッ素樹脂としては、ポリテトラフルオロエチレン、テトラフルオロエチレン・パーフルオロアルキルビニルエーテル共重合体、テトラフルオロエチレン・ヘキサフルオロプロピレン共重合体、テトラフルオロエチレン・エチレン共重合体、ポリクロロトリフルオロエチレン、クロロトリフルオロエチレン・エチレン共重合体、ポリビニリデンフルオライド、ポリビニルフルオライド等が例示でき、ポリビニルフルオライドが好ましい。フッ素樹脂フィルムの厚さに特に制限はないが、通常１０〜５０μｍである。
【０００８】
３のアルミニウム箔としては硬質、軟質いずれでもよい。厚さも特に制限はないが、通常７〜１００μｍである。
４の補強材としては、例えばポリエチレンフィルム、ボリプロピレンフイルム、ポリエステルフィム等の樹脂フイルム、織布、不織布等が使用される。その厚さに特に制限はないが通常７〜１００μｍである。
５の粘着剤としては、鉄やアルミニウム等の金属、それらの塗装面等に粘着性を有するものであればよく、例えばブチルゴムに必要に応じ軟化剤、粘着付与剤、充填剤等を配合した非加硫ブチルゴム系粘着剤が使用できる。また、アクリル系粘着剤、アスファルトも使用できる。粘着剤層の厚さは特に制限はないが通常０．１〜１．２ｍｍである。
６の離型材は通常は紙で、使用直前に粘着剤層から剥がして用いる。
【０００９】
上記、遮熱材は公知の方法に従って製造できる。例えば樹脂フイルム、アルミニウム箔及び必要に応じて補強材をドライラミネートして３層の積層材をつくり、別にカレンダーロール等で粘着剤を離型材に塗布し、前記３層積層材と貼り合わせることにより製造できる。
【００１０】
本発明の遮熱材は、特に屋外で使用される冷凍庫、冷蔵庫、保冷庫等用として好適である。例えば、自動販売機や輸送用車両の収納庫においては、天板、側板等に本発明の遮熱材を貼付することにより極めて簡単に省エネルギーを図ることができる。
また、さらに省エネルギーを図るには、これら天板及び又は側板の外側に断熱層を設け、該断熱層の外側の全部又は一部を本発明の遮熱材で被覆することが好ましい。断熱層としては単なる空隙、空室でもよく、また発泡材等の断熱材や空隙、空室に断熱材を充填したものでもよい。
【実施例】
【００１１】
以下に本発明を実施例で説明する。
実施例１
フッ素樹脂フィルム、アルミニウム箔、ポリエチレン不織布、ブチル系粘着および剥離紙がこの順序で積層された本発明の遮熱材シートを、バン型トラックの収納庫天面に外部から貼り付け、実際に走行中、外気温度と遮熱材表面温度と内部温度を測定した。比較として、貼り付けないそのままのトラックについても内部温度を測定した。測定は７月初めから９月初めの期間に行った。
温度の測定結果を表１及び図２に示した。表１、図２から、遮熱材シートを貼った場合、通常のバン型トラックに比べ、表面温度、内部温度とも低いことが分かった。
【００１２】
【表１】
2009149000.tif 000003
【００１３】
実施例２
自動販売機を２台用意した。その一方の天板全面に、外表面を実施例１と同様の遮熱材シートで覆った、断面が高さの低い直角三角形で内部が空洞のプラスチック筐体からなる断熱層を取り付けた。２００７年８月１５日に、２台の自動販売機の天板の温度と外気温度を経時的に測定した。結果を図３に示した。
断熱層を取り付けた方が天板の温度がはるかに低かった。
【産業上の利用可能性】
【００１４】
特に屋外で使用される冷凍庫、冷蔵庫、保冷庫等において、熱伝導を低下させる手段によらずにエネルギー効率を高めるための遮熱材として有用である。
【図面の簡単な説明】
【００１５】
【図１】本発明の遮熱材の構成を表す図である。
【図２】トラックの内部温度測定の結果を表した図である。
【図３】自動販売機の天板の温度測定の結果を表した図である。
【符号の説明】
【００１６】
１    遮熱材
２    樹脂フィルム
３    アルミニウム箔
４    補強材
５    粘着剤層
６    離型材
【図１】
2009149000.tif 000004
【図２】
2009149000.tif 000005
【図３】
2009149000.tif 000006